(57)【要約】【課題】各発光ダイオードの有効に光混合距離を短縮し、且つ光線を集める光源モジュールを提供する。      【解決手段】光源モジュールは、主に複數の発光ダイオード及びライトガイド体を含む。このライトガイド体は、多角錐体の構造主体を形成し、また多角錐体の底面には対応する設置側辺に設置し、その設置側辺が複数の発光ダイオードを定位するのに使用される。更にこの設置側辺多角錐体内側に向かって適度な角度で傾斜し、各発光ダイオードは多角錐体の頂角に向かう。更に各発光ダイオードが発する光線を該多角錐体の頂角に集光させ、光混合を平均にする。【選択図】図４
0003126227.tif 000002
【実用新案登録請求の範囲】
【請求項１】
主に複数の発光ダイオードとライトガイド体を含む光源モジュールにおいて、
ライトガイド体が多角錐体の構造主体を形成し、その多角錐体の底面に対応する設置側辺を設置し、その設置側辺が複数の発光ダイオードを定位させ、且つこの設置側辺は多角錐体内側に向かって適する角度で傾斜し、各発光ダイオードを多角錐体の頂角に向けることを特徴とする光源モジュール。
【請求項２】
前記ライトガイド体は、三角錐体とすることを特徴とする請求項１記載の光源モジュール。
【請求項３】
前記各発光ダイオードは、異なる色の発光ダイオードで、例として赤色、緑色、青色の発光ダイオードとすることを特徴とする請求項１記載の光源モジュール。
【請求項４】
前記多角錐体は、その一辺底面に設置した設置側辺上に赤色、緑色、青色の発光ダイオードを設置することを特徴とする請求項１記載の光源モジュール。
【請求項５】
前記ライトガイド体の錐状斜面は複数の光学構造を設置することを特徴とする請求項１記載の光源モジュール。
【考案の詳細な説明】
【技術分野】
【０００１】
本考案は、光源モジュールに関するもので、特に各発光ダイオードの有効に光混合距離を短縮し、且つ光線を集めるものである。
【背景技術】
【０００２】
液晶モニターは軽薄短小等の長所を具え、ノート型パソコン、携帯電話、ＰＤＡ等現代の情報設備に広く応用されている。液晶自体は、発光の特性を具えないため、バックライトモジュールを設置することにより、表示機能を得る。
【０００３】
被光モジュールは光源の所在位置に基づき、直下式バックライトモジュールと側光指揮バックライトモジュールに分かれる。直下式爆雷とモジュールは、光源がパネル正下方から発し、一般に直下式バックライトモジュールの基本アーキテクチャーを図1に示したとおり、光源１１上方にパネル１２が設置され，下方には反射板１３が設置される。更に外枠１４で反射板１３を固定する。側光式バックライトモジュールは、光源がパネル側辺附近から発するもので、図２に示す。光源２１側辺にライトガイド板２１を設置し、光源２１外周辺縁にはライトカバー２２を設置する。またライトガイド板２１上のネット点構造により、光線を何度も屈折させた後、均一の光源を出す。
【０００４】
バックライトモジュールは、大部分が冷陰極管(CCFL)を採用しているが、環境保護の面から徐々に発光ダイオード(LED)に代わっている。発光ダイオードを使用したバックライトモジュールは「高精密度」、「高輝度」、「無水銀」、「高度な色再現性」等特徴を具えている。このため冷陰極管と比較して液晶パネルにはより高い付加価値が具わっている。更に無水銀は公害を防止することから、環境保護の要求に適している。しかしながら、発光ダイオードにも問題があり、例として図３に示すとおり、大型パネル３１の場合，パネル３１の両側に同時に発光ダイオード３２が排列し、必要に応じて増やす。
【考案の開示】
【考案が解決しようとする課題】
【０００５】
解決しようとする問題点は、パネル３１の面積が大きい場合、両側から発射する光源は中間線で光を混合するには距離が遠すぎ、光混合効果が良くない。図１に示す直下式発光ダイオード方式ではバックライトモジュールの厚みに制限があり、且つ発光ダイオードが点光源とする形式であるため、光混合効果は更に理想的でない点である。
【課題を解決するための手段】
【０００６】
本考案は、主に複數の発光ダイオード及びライトガイド体を含む。このライトガイド体は、多角錐体の構造主体を形成し、また多角錐体の底面には対応する設置側辺に設置し、その設置側辺が複数の発光ダイオードを定位するのに使用される。更にこの設置側辺多角錐体内側に向かって適度な角度で傾斜し、各発光ダイオードは多角錐体の頂角に向かう。更に各発光ダイオードが発する光線を該多角錐体の頂角に集光させ、光混合を平均にすることを最も主要な特徴とする。
【考案の効果】
【０００７】
本考案の光源モジュールは、各発光ダイオードの有効に光混合距離を短縮し、且つ光線を集めるという利点がある。
【考案を実施するための最良の形態】
【０００８】
本考案の主な目的は光源モジュールを提供し、各発光ダイオードの有効に光混合距離を短縮し、且つ光線を集める。
【０００９】
上述の目的のため、本考案の光源モジュールは、主に複數の発光ダイオード及びライトガイド体を含む。このライトガイド体は、多角錐体の構造主体を形成し、また多角錐体の底面には対応する設置側辺に設置し、その設置側辺が複数の発光ダイオードを定位するのに使用される。更にこの設置側辺多角錐体内側に向かって適度な角度で傾斜し、各発光ダイオードは多角錐体の頂角に向かう。更に各発光ダイオードが発する光線を該多角錐体の頂角に集光させ、光混合を平均にする。
【実施例】
【００１０】
本考案の「光源モジュール」図４に示すとおり、光源モジュール４は主に複数の発光ダイオード４２及びライトガイド体４３を含み、そのライトガイド体４３は、多角錐体の構造主体を形成する。図に示す実施例に於いて、ライトガイド体４３は三角錐体とし、その三角錐体の底面には対応する設置側辺４３１を成形し、またこの三角錐体の底面になる側辺に合わせて３個の設置側辺４３１を設置する。この設置側辺４３１は複数の発光ダイオード４２を定位するのに利用され、且つ設置側辺４３１は多角錐体内側に向かって適度な角度で傾斜する。図５に示すとおり、各発光ダイオード４２を多角錐体の頂角４３２に向ける。
【００１１】
具体的な実施時，各発光ダイオードは異なる色の発光ダイオードとし、例として赤色、緑色、青色の発光ダイオードとする。調整を必要とする異なる色の発光ダイオードの数に合わせて、異なる色を混合した光源を形成する。図６に示すとおり、この三角錐体の一辺底面に設置した設置側辺４３１上に赤色、緑色、青色の発光ダイオード４２１、４２２、４２３を設置する。また各発光ダイオードが発した光線はライトガイド体４３の三角錐体の錐状斜面４３３に沿って光線を多角錐体の頂角４３２に集光するため、光混合の距離を有効に短くするだけでなく、白色光を平均にする効果を具える。この他、ライトガイド体４３の錐状斜面４３３上には複数の光学構造４３４を設置し、光の通路を壊して通過した光線を平均に射出する。
【００１２】
当然この光源モジュール４は、異なる形状の外観形式のものにも組み合わせることができる。図７及び図８に示すとおり、直下式バックライトモジュール、もしくは側光式バックライトモジュールの光源  発生源により、光混合の距離を有効に短縮する。
【００１３】
上述に示すとおり、本考案はひとつの良好な実施例を示しただけであり、本考案は法に基づき、申請の範囲を基準とし、以上の説明は実施例の説明、図示であり、本考案を制限するものではない。本考案の構造、装置、特徴等に近似、類似するものは、すべて本考案の範囲とする。
【図面の簡単な説明】
【００１４】
【図１】公知の直下式バックライトモジュールの構造指示図である。
【図２】公知の側光式バックライトモジュールの構造指示図である。
【図３】本考案の大型パネル両側から入光した結構指示図である。
【図４】本考案の光源モジュールの構造立体図である。
【図５】本考案の光源モジュールの光線集光指示図である。
【図６】本考案の光源モジュールの構造指示図である。
【図７】本考案の複数の光源モジュールを組み合わせた構造指示図である。
【図８】本考案の複数の光源モジュールを組み合わせた別の構造指示図である。
【符号の説明】
【００１５】
１１        光源
１２        パネル
１３        反射板
１４        外枠
２１        光源
２２        ライトカバー
３１        パネル
３２        発光ダイオード
４        光源モジュール
４２        発光ダイオード
４２１        赤色発光ダイオード
４２２        緑色発光ダイオード
４２３        青色発光ダイオード
４３        ライトガイド体
４３１        設置側辺
４３２        頂角
４３３        錐形状斜面
４３４        光学構造
【図１】
0003126227.tif 000003
【図２】
0003126227.tif 000004
【図３】
0003126227.tif 000005
【図４】
0003126227.tif 000006
【図５】
0003126227.tif 000007
【図６】
0003126227.tif 000008
【図７】
0003126227.tif 000009
【図８】
0003126227.tif 000010